(57)【特許請求の範囲】
【請求項１】
それぞれ床下地材、天井に、凹部の開口面が互いに相対するよう、間をおいて固定された、金属又はプラスチックよりなる床ランナー及び天井ランナーと，それぞれ床ランナーと天井ランナーの凹部に、端部が垂直に挿入・嵌合され、固定された複数の縦部材とを備えた間仕切り壁の固定構造であって、少なくとも床ランナーの凹部の内面に、垂直に挿入・嵌合された縦部材の下端面を支持し、且つ縦部材の下端面の下方に水平方向の連続空間を形成する水平棚が一体に結合され、さらに、前記床ランナーの凹部の底面中心に、前記縦部材の下端面を前記水平棚と共に支えることができる中央支持部が突設されていることを特徴とする間仕切り壁の固定構造。
【請求項２】
それぞれ床下地材、天井に、凹部の開口面が互いに相対するよう、間をおいて固定された、金属又はプラスチックよりなる床ランナー及び天井ランナーと，それぞれ床ランナーと天井ランナーの凹部に、端部が垂直に挿入・嵌合され、固定された複数の縦部材とを備えた間仕切り壁の固定構造であって、少なくとも床ランナーの凹部の内面に、垂直に挿入・嵌合された縦部材の下端面を支持し、且つ縦部材の下端面の下方に水平方向の連続空間を形成する水平棚が一体に結合され、さらに、前記水平棚には、上下に連通する長方形の開口部分が床ランナーの延びる方向に規則的に複数配置されていることを特徴とする間仕切り壁の固定構造。
【請求項３】
前記床ランナーに挿入・嵌合される縦部材が単板積層材よりなることを特徴とする請求項１又は２に記載の間仕切り壁の固定構造。
【発明の詳細な説明】
【０００１】
【発明の属する技術分野】
本発明は、例えば住宅・事務所等の建物に設置される間仕切り壁の固定構造に関する。
【０００２】
【従来の技術】
従来、例えば住宅・事務所等の建物に設置される間仕切り壁として、図１１に示すように、床下地材、天井にそれぞれ固定された製材製品（無垢材）である横部材３，３、その横部材３，３間に挿入固定された、同じく製材製品である複数本の縦部材４、及び前記横部材３，３及び縦部材４によって形成される枠状体の両面に張付けられた石膏ボード等よりなる壁面（図示省略）によって構成されるものが知られている。なお、横部材，縦部材として、安価で入手の容易なベイツガ、ベイマツ等の樹種が長らく使用されて来た。
【０００３】
しかしながら、上記間仕切り壁の固定構造は、横部材３・縦部材４として製材製品が使用されていることに起因して、次の欠点がある。
（ア）製材製品には不良品がある。
製材製品には節・割れ・腐朽・曲がり等を有する不良品が多く、入荷したものの中に使用不可能なものがあるため、それを見込んで余分の製材製品を発注する必要があり、不経済である。
（イ）施工後狂いを生じ易い。
製材製品は、その多くは未乾燥か又は天然乾燥程度の乾燥しか行われていないため、施工後年月の経過に伴って、乾燥が進行し、収縮・ねじれ・反り・曲がり等の形状・寸法変化を起こすため、軋み・外観悪化・建具の開閉困難等のトラブルを起こし易い。また、梅雨時期の高湿度・雨水の浸入・結露等による吸湿に伴う膨張により、上記と同様のトラブルを起こすこともある。
（ウ）施工時の融通性に欠ける。
２本の横部材３，３が完全に平行でなく、間隔が位置によって変化することがあり、縦部材４は、固定位置によって再切断等一々長さを合わさなければならず、融通性に欠け、作業が煩瑣である。また、そのため施工者によって仕上がりの良否が別れることがある。
（エ）水平方向の配線が困難である。
通常縦部材４は３００〜４５０ｍｍ間隔で立設されており、水平方向の配線が必要な場合は、縦部材４を横断するために、配線用の穿孔が必要であり、それに伴う工数の増加、縦部材強度の低下が起こる。それを避けるため、天井裏から配線を下ろそうとすると作業者が天井裏に上がる必要があり、極めて面倒である。
（オ）間仕切壁内部の通気性が悪い。
間仕切壁内部は複数本の縦部材４によって仕切られているため、水平方向の通気が行われ難い。そのため、特に未乾燥又はそれに近い縦部材中の水分が蒸発し、内部に籠もったり、結露を生じたりし易い。結露・雨漏りによって内部に溜まった水は床側の横部材３の上に集まり、さらに最も吸水し易い縦部材４の木口から浸入し、縦部材４を腐朽させることがある。
【０００４】
なお、以上の問題点のうち、ア，イの項は、ＬＶＬ材（単板積層材）の使用によって改善されるが、その他の問題点は未解決のまま残る。
【０００５】
また、近年では、図１２に示すように、製材製品である横部材に替えて、それぞれ鋼・アルミ等の金属製の断面コの字状（例えば軽量Ｃ型鋼材）の床ランナー５、天井ランナー６が使用されるようになって来た（特願平４−１８８３８７号公報、特願平５−１８６９６２号公報）。すなわち、両ランナー５，６は開口面が互いに相対するよう、それぞれ床下地材、天井に釘・接着剤・木ネジその他の固定手段によって固定される。さらに両ランナー５，６の凹部に対して、挿縦軸材４の端部が、あたかも襖・障子が敷居・鴨居の溝に嵌合されるよう、挿入・嵌合され、固定される。
【０００６】
上記上記従来の床ランナー５、天井ランナー６が組込まれた間仕切り壁の固定構造は、縦部材４の上端面と天井ランナー６の上面との間隔を調整すれば、縦部材４の長さをその固定位置によって再切断等一々合わせる必要がなくなり、上記ウの項の問題点は解決され、オの項は上部に隙間が形成されることによって、若干の改善はなされるが、なお不十分であり、特にエの項は未解決のまま残る。
【０００７】
【発明が解決しようとする課題】
そこで本発明の目的とするところは、上記従来の間仕切り壁の固定手段の種々の欠点を解消した、水平方向の配線が容易であり、内部の通気性がよい間仕切り壁の固定構造を提供することにある。
【０００８】
【課題を解決するための手段】
上記の目的を達するために、請求項１の発明の間仕切り壁の固定構造は、それぞれ床下地材、天井に、凹部の開口面が互いに相対するよう、間をおいて固定された、金属又はプラスチックよりなる床ランナー（５４）及び天井ランナー（６４）と，それぞれ床ランナー（５４）と天井ランナー（６４）の凹部に、端部が垂直に挿入・嵌合され、固定された複数の縦部材（４）とを備えたものであって、少なくとも床ランナー（５４）の凹部（Ｈ４）の内面に、垂直に挿入・嵌合された縦部材（４）の下端面を支持し、且つ縦部材（４）の下端面の下方に水平方向の連続空間を形成する水平棚（Ｓ４）が一体に結合され、さらに、前記床ランナー（５４）の凹部（Ｈ４）の底面中心に、前記縦部材（４）の下端面を前記水平棚（Ｓ４）と共に支えることができる中央支持部（Ｃ）が突設されていることを特徴とするものである。
【０００９】
請求項２の発明は、それぞれ床下地材、天井に、凹部の開口面が互いに相対するよう、間をおいて固定された、金属又はプラスチックよりなる床ランナー（５６）及び天井ランナー（６６）と，それぞれ床ランナー（５６）と天井ランナー（６６）の凹部に、端部が垂直に挿入・嵌合され、固定された複数の縦部材（４）とを備えたものであって、少なくとも床ランナー（５６）の凹部（Ｈ６）の内面に、垂直に挿入・嵌合された縦部材（４）の下端面を支持し、且つ縦部材（４）の下端面の下方に水平方向の連続空間を形成する水平棚（Ｓ６）が一体に結合され、さらに、前記水平棚（Ｓ６）には、上下に連通する長方形の開口部分（Ｏ６）が床ランナー（５６）の延びる方向に規則的に複数配置されていることを特徴とするものである。
【００１０】
請求項３の発明は、請求項１又は２の発明に記載の床ランナー（５１）に挿入・嵌合される縦部材（４）が単板積層材よりなることを特徴とするものである。
【００１１】
請求項１の発明によれば、床ランナーの縦部材の下端面の下方に水平方向の連続空間が形成されるため、水平方向の配線が必要な場合も、縦部材を横断する配線用の穿孔が不必要であり、殆ど手が加えられることなく、容易に配線可能である。そのため従来例に比較して、穿孔に伴う工数が低減され、縦部材の強度の低下が回避される。
【００１２】
なお、縦部材は、予め少し短か目にカットされておれば、不足分は天井ランナーの上面との隙間を少し大きくすればよく、長さに対する精度はあまり必要でなく、施工時の寸法合わせのための再切断作業の労力の負担が解消される。また、梅雨時期の高湿度・雨水の浸入・結露等による吸湿に伴う膨張があっても、天井ランナーの上面との隙間によって吸収されるため何等のトラブルを生じない。
【００１３】
また請求項２の発明によれば、請求項１の発明の作用効果に加えて、床ランナーの水平棚に上下に連通する開口部分が穿けられているため、上下方向、水平方向共に通気性が著しく改善され、未乾燥又はそれに近い縦部材の中の水分が蒸発し、内部に籠もったり、結露を生じたりすることが著しく低減される。
また、例え結露・雨漏りがあっても、水は、金属又はプラスチックよりなる床ランナーの開口部分から落下し、底面を通って外部に排出されるため、内部は速やかに乾燥する。従って縦部材の木口への水の浸入が回避され、その腐朽も起こり難く、間仕切り壁の耐久性が向上する。
【００１４】
更に請求項３によれば、請求項１又は２の発明の作用効果に加えて、縦部材が単板積層材よりなり、製材品における節・割れ・腐朽・曲がり等の欠陥は製造時に排除又は分散されていて、不良品率が殆ど０であるため、余分の材料を発注する必要はなく、経済的である。また、単板積層材よりなる縦部材は略完全に乾燥されているため、年月の経過に伴う収縮・ねじれ・反り・曲がり等の形状・寸法変化を殆ど起こさず、軋み・外観悪化・建具の開閉困難等のトラブルが解消される。
【００１５】
【発明の実施の形態】
本発明の実施の形態例について図面を参考にして説明する。図１は本発明の実施の形態例に係わる間仕切り壁の固定構造を示す断面図、図２は図１の床ランナーのみを示す断面図、図３は図１の斜視図である。
【００１６】
本発明の実施の形態例に係わる間仕切り壁の固定構造は、それぞれ床下地材、天井（図示省略）に、凹部の開口面が互いに相対するよう、固定された、金属又はプラスチックよりなる床ランナー５１及び天井ランナー６１と，それぞれ床ランナー５１と天井ランナー６１の凹部に、端部が垂直に挿入・嵌合され、固定された複数の縦部材４とを備え、さらに次の構成が付加されたものである。
【００１７】
すなわち、少なくとも床ランナー５１の凹部Ｈ１の内面に水平棚Ｓ１が一体に結合されていて、その水平棚Ｓ１によって垂直に挿入・嵌合された縦部材４の下端面が支持され、しかも縦部材４の下端面の下方に水平方向の連続空間が形成される。以上の構成に加えて、水平棚Ｓ１の中央長手方向に上下に連通する開口部分Ｏ１が穿けられており、且つ床ランナー５１、天井ランナー６１に各端部が挿入・嵌合される縦軸材４が単板積層材よりなるが、必ずしもこれに限定されるものではない。
【００１８】
なお、天井ランナー６１としては、従来例同様に断面が単純なコの字状のものでもよいが、部品種類の低減の点で好ましく、また施工の容易さ・作用効果の点で何等の不都合もないということから、床ランナー５１と同一のものが採用されている。
【００１９】
施工に当たっては、先ず床ランナー５１を、その開口面を上に向けて、床下地材の上に置き、釘・接着剤・木ネジその他の固定手段により固定する。次に天井ランナー６１を、床ランナー５１の開口面と相対するよう、開口面を下に向けて、天井の下面に当て、釘・接着剤・木ネジその他の固定手段により固定する。
３番目に、縦部材４を、襖や障子を敷居等に嵌込む要領で、それぞれ両端部を床ランナー５１、天井ランナー６１に垂直に挿入・嵌合させる。電気配線Ｌが必要な場合は、壁面に取付けられるコンセントやスイッチから床ランナー５１まで線を下ろし、開口部分Ｏ１を経て棚Ｓ１の下方の水平方向の連続空間に通せばよい。
最後に両側に合板や石膏ボード等の面状材を張ることによって間仕切り壁が完成する。
【００２０】
これによれば、第１に床ランナー５１の縦部材４の下端面の下方に水平方向の連続空間が形成されるため、水平方向の配線が必要な場合も、縦部材４を横断する配線用の穿孔が不必要であり、殆ど手を加えることなく、容易に配線Ｌが可能である。そのため従来例に比較して、穿孔に伴う工数が低減され、縦部材４の強度の低下が回避される。なお、天井ランナー６１も上記と同様に水平方向の配線が可能である。
【００２１】
第２に縦部材４は、予め少し短か目にカットされておれば、不足分は天井ランナー６１の隙間Ｓ１との隙間を少し大きくすることによって吸収され、長さに対する精度はあまり必要でない。従って、施工時の寸法合わせのための再切断作業の労力の負担が解消される。また、梅雨時期の高湿度・雨水の浸入・結露等による吸湿に伴う膨張があっても、天井ランナー６１の棚Ｓ１との隙間によって吸収されるため何等のトラブルを生じない。
【００２２】
第３に床ランナー５１、天井ランナー６１の各水平棚Ｓ１に上下に連通する開口部分Ｏ１が穿けられているため、上下方向、水平方向共に通気性が著しく改善され、縦部材４が未乾燥又はそれに近い製材品の場合でも、その中の水分が蒸発し、内部に籠もったり、結露を生じたりすることが著しく低減される。
また、例え結露・雨漏りがあっても、水は、金属又はプラスチックよりなる床ランナー５１の開口部分Ｏ１から落下し、底面を通って外部に排出されるため、内部は速やかに乾燥する。従って縦部材４の木口への水の浸入が回避され、その腐朽も起こり難く、間仕切壁の耐久性が向上する。
【００２３】
第４に縦部材４が単板積層材の場合は、製材品における節・割れ・腐朽・曲がり等の欠陥は製造時に排除又は分散されていて、不良品率が殆ど０であるため、余分の材料を発注する必要はなく、経済的である。また、単板積層材よりなる縦部材４は略完全に乾燥されているため、年月の経過に伴う収縮・ねじれ・反り・曲がり等の形状・寸法変化を殆ど起こさず、軋み・外観悪化・建具の開閉困難等のトラブルが解消される。
【００２４】
本発明の他の実施の形態例について説明すると、いずれも上記作動及び効果の基本が維持されたまま、床ランナー５１，天井ランナー１の一部の構成が変更されたものである。先ず、図４には、上記棚Ｓ１の代わりに、外郭の中間部が絞られていて、凹部Ｈ２の内面両側にコの字状の棚Ｓ２，Ｓ２が突設された床ランナー５２，天井ランナー６２が示されている。
【００２５】
次に図５には、上記棚Ｓ１の代わりに、外郭の底側が段状に絞られていて、凹部Ｈ３の内面両側に棚Ｓ３，Ｓ３が形成された床ランナー５３，天井ランナー６３が、また、図６には、床ランナー５３として使用される場合、凹部Ｈ４の底面中心に、棚Ｓ４と共に縦部材４の下端面を支えることが出来る中央支持部Ｃが突設された床ランナー５４，天井ランナー６４がそれぞれ示されている。
【００２６】
さらに図７には、上記棚Ｓ１の代わりに、凹部Ｈ５の底部両側に断面逆Ｌ字の仕切り壁が一体に設けられることによって、高荷重の縦部材４に耐えられる棚Ｓ５，Ｓ５が形成された床ランナー５５，天井ランナー６５が、また、図８には、棚Ｓ６に長方形の不連続の開口部分Ｏ６が規則的に配置された床ランナー５６，天井ランナー６６がそれぞれ示されている。
【００２７】
そのうえ、図９には、図８に示されたものの変型として、縦部材４が正面から挿入可能に、側壁の一方の棚Ｓ７の開口側の部分が切り欠かれた床ランナー５７，天井ランナー６７が、また、その変型として、開口側が切り欠かれた側の側壁の下部に、配線をさらに容易にするか、又は軽量化することを狙った、棚Ｓ８の開口部分Ｏ８に対応する、長方形の不連続の開口部Ｏ９が規則的に配置された床ランナー５８，天井ランナー６８がそれぞれ示されている。
【００２８】
【発明の効果】
請求項１の発明によれば、水平方向の配線が必要な場合も、縦部材を横断する配線用の穿孔が不必要であり、殆ど手が加えられることなく、容易に配線可能である。そのため従来例に比較して、穿孔に伴う工数が低減され、縦部材４の強度の低下が回避される。
縦部材は、予め少し短か目にカットされておれば、不足分は天井ランナーの上面との隙間を少し大きくすればよく、長さに対する精度はあまり必要でなく、施工時の寸法合わせのための再切断作業の労力の負担が解消される。また、梅雨時期の高湿度・雨水の進入・結露等による吸湿に伴う膨張があっても、天井ランナーの上面との隙間によって吸収されるため何等のトラブルを生じない。
【００２９】
また請求項２の発明によれば、請求項１の発明の効果に加えて、上下方向、水平方向共に通気性が著しく改善され、未乾燥又はそれに近い縦部材の中の水分が蒸発し、内部に籠もったり、結露を生じたりすることが少なく、内部の乾燥も速い。従って縦部材の木口への水の浸入が回避され、その腐朽も起こり難く、間仕切り壁の耐久性が向上する。
【００３０】
更に請求項３によれば、請求項１又は２の発明の効果に加えて、不良品が極めて少なく、余分の材料を発注する必要は殆どなく、経済的であり、また、年月の経過に伴う収縮・ねじれ・反り・曲がり等の形状・寸法変化を殆ど起こさず、軋み・外観悪化・建具の開閉困難等のトラブルが解消される。
【図面の簡単な説明】
【図１】本発明の実施の形態例を示す断面図である。
【図２】図１の床ランナーのみを示す断面図である。
【図３】図１の斜視面図である。
【図４】２番目の実施の形態例を示す斜視図である。
【図５】３番目の実施の形態例を示す斜視図である。
【図６】４番目の実施の形態例を示す斜視図である。
【図７】５番目の実施の形態例を示す斜視図である。
【図８】６番目の実施の形態例を示す斜視図である。
【図９】７番目の実施の形態例を示す斜視図である。
【図１０】８番目の実施の形態例を示す斜視図である。
【図１１】従来例を示す斜視図である。
【図１２】別の従来例を示す斜視図である。
【符号の説明】
３          横部材
４          縦部材
５          床ランナー
６          天井ランナー
５１〜５８  床ランナー
６１〜６８  天井ランナー
Ｃ          中央支持部
Ｈ１〜Ｈ８  凹部
Ｌ          配線
Ｏ１〜Ｏ９  開口部分
Ｓ１〜Ｓ８  棚
【図１】
0003973172.tif 000002
【図２】
0003973172.tif 000003
【図３】
0003973172.tif 000004
【図４】
0003973172.tif 000005
【図５】
0003973172.tif 000006
【図６】
0003973172.tif 000007
【図７】
0003973172.tif 000008
【図８】
0003973172.tif 000009
【図９】
0003973172.tif 000010
【図１０】
0003973172.tif 000011
【図１１】
0003973172.tif 000012
【図１２】
0003973172.tif 000013